(57)【要約】【課題】広角領域の撮影において周辺の画質の劣化の少ない画像を取得できる撮像装置を提供する。【解決手段】撮像装置は、撮像素子ＳＲと、撮像素子ＳＲの撮像面に対して視野の異なる複数の結像を行うアレイ光学系ＬＡと、アレイ光学系ＬＡで形成された視野の異なる複数の像をつなぎ合わせて１枚の合成画像を出力する画像処理部と、を有する。アレイ光学系ＬＡは、配列の中心に位置する中心光学系Ｌ０と、中心光学系Ｌ０の周辺に位置する周辺光学系Ｌ１〜Ｌ８と、からなる。中心光学系Ｌ０の画角は周辺光学系Ｌ１〜Ｌ８の画角よりも広く、周辺光学系Ｌ１〜Ｌ８のうちの少なくとも１つが、中心光学系Ｌ０とは視野中心の異なる像を撮像面ＳＳ上に形成する。【選択図】図２
2015106773.tif 000002
【特許請求の範囲】
【請求項１】
撮像素子と、その撮像素子の撮像面に対して視野の異なる複数の結像を行うアレイ光学系と、そのアレイ光学系で形成された視野の異なる複数の像をつなぎ合わせて１枚の合成画像を出力する画像処理部と、を有する撮像装置であって、
前記アレイ光学系が、配列の中心に位置する少なくとも１つの中心光学系と、その中心光学系の周辺に位置する複数の周辺光学系と、からなり、
前記中心光学系の画角が前記複数の周辺光学系の画角よりも広く、
前記複数の周辺光学系のうちの少なくとも１つが、前記中心光学系とは視野中心の異なる像を前記撮像面上に形成することを特徴とする撮像装置。
【請求項２】
前記中心光学系と前記周辺光学系とが同じ構成の撮像光学系を有し、前記中心光学系が最も物体側にワイドコンバーターを有し、前記周辺光学系が最も物体側にプリズムを有することを特徴とする請求項１記載の撮像装置。
【請求項３】
前記中心光学系と前記周辺光学系とが同じ構成の撮像光学系を有し、前記中心光学系が最も物体側にワイドコンバーターを有し、前記周辺光学系が最も物体側にミラーを有することを特徴とする請求項１記載の撮像装置。
【発明の詳細な説明】
【技術分野】
【０００１】
本発明は、アレイ光学系を有する撮像装置に関するものであり、例えば、レンズアレイからなる視野分割タイプのアレイ光学系と、それにより得られた被写体像を取り込む撮像素子（例えば、ＣＣＤ(Charge Coupled Device)型イメージセンサー，ＣＭＯＳ(Complementary Metal-Oxide Semiconductor)型イメージセンサー等の固体撮像素子）と、を有する撮像装置に関するものである。
【背景技術】
【０００２】
監視カメラのように設置場所が固定されているカメラには、一度に広い範囲を撮影したいという要望がある。そして、立体角２πに及ぶような広い範囲を撮像する方法として、魚眼レンズを使用する方法が従来より知られている。しかし、魚眼レンズには、その特徴的な射影方式のために周辺の画像ほど歪んでしまい、それに画像処理で補正を加えると画質が劣化する、という問題がある。この問題を解決する技術として、複数の光学系を用いて一度に広い範囲を撮像し、得られた複数の画像を画像処理で１つの画像につなぎ合わせる、視野分割タイプの撮像装置が特許文献１で提案されている。
【先行技術文献】
【特許文献】
【０００３】
【特許文献１】特開２００７−２８８５６９号公報
【発明の概要】
【発明が解決しようとする課題】
【０００４】
しかし、特許文献１で提案されている撮像装置は、それぞれの光学系がすべて同じ画角を有しているため、より周辺まで（例えば、画角：２ω＝１８０°まで）撮影しようとすると、全てのレンズの画角を大きくする必要があり、結果として最周辺の画像は歪み易く、画質が劣化してしまうという問題がある。
【０００５】
本発明はこのような問題点に鑑みてなされたものであって、その目的は、広角領域の撮影において周辺の画質の劣化の少ない画像を取得できる撮像装置を提供することにある。
【課題を解決するための手段】
【０００６】
上記目的を達成するために、第１の発明の撮像装置は、撮像素子と、その撮像素子の撮像面に対して視野の異なる複数の結像を行うアレイ光学系と、そのアレイ光学系で形成された視野の異なる複数の像をつなぎ合わせて１枚の合成画像を出力する画像処理部と、を有する撮像装置であって、
前記アレイ光学系が、配列の中心に位置する少なくとも１つの中心光学系と、その中心光学系の周辺に位置する複数の周辺光学系と、からなり、
前記中心光学系の画角が前記複数の周辺光学系の画角よりも広く、
前記複数の周辺光学系のうちの少なくとも１つが、前記中心光学系とは視野中心の異なる像を前記撮像面上に形成することを特徴とする。
【０００７】
第２の発明の撮像装置は、上記第１の発明において、前記中心光学系と前記周辺光学系とが同じ構成の撮像光学系を有し、前記中心光学系が最も物体側にワイドコンバーターを有し、前記周辺光学系が最も物体側にプリズムを有することを特徴とする。
【０００８】
第３の発明の撮像装置は、上記第１の発明において、前記中心光学系と前記周辺光学系とが同じ構成の撮像光学系を有し、前記中心光学系が最も物体側にワイドコンバーターを有し、前記周辺光学系が最も物体側にミラーを有することを特徴とする。
【発明の効果】
【０００９】
本発明の構成を採用することにより、広角領域の撮影において周辺の画質の劣化の少ない画像を取得することができる。したがって、広い範囲を高画質で撮影することの可能な撮像装置を実現することができる。また、本発明に係る撮像装置を監視カメラ，防犯カメラ，車載カメラ，航空機カメラ等に用いることによって、これらのカメラに高性能の広角画像入力機能をコンパクトに付加することが可能となる。
【図面の簡単な説明】
【００１０】
【図１】撮像装置の第１の実施の形態を示す模式図。
【図２】撮像装置の第１の実施の形態の要部を示す外観図。
【図３】第１の実施の形態を構成するアレイ光学系の光学構成を示す断面図。
【図４】撮像装置の第２の実施の形態の要部を示す上面図。
【図５】第２の実施の形態を構成するアレイ光学系の光学構成を示す断面図。
【図６】撮像装置の第３の実施の形態の要部を示す上面図。
【図７】第３の実施の形態を構成するアレイ光学系の光学構成を示す断面図。
【図８】撮像装置の第４の実施の形態の要部を示す上面図。
【図９】第４の実施の形態を構成するアレイ光学系の光学構成を示す断面図。
【図１０】撮像装置の第５の実施の形態の要部を示す上面図。
【図１１】第５の実施の形態を構成するアレイ光学系の光学構成を示す断面図。
【図１２】第６の実施の形態を構成する撮像レンズ系を示す斜視図。
【図１３】第６の実施の形態を構成するアレイ光学系を示す斜視図。
【図１４】第７の実施の形態を構成する撮像レンズ系を示す斜視図。
【図１５】第７の実施の形態を構成するアレイ光学系を示す斜視図。
【図１６】撮像装置の第８の実施の形態の要部を示す上面図。
【図１７】第８の実施の形態を構成するアレイ光学系の光学構成を示す断面図。
【図１８】視野中心を説明するための模式図。
【発明を実施するための形態】
【００１１】
以下、本発明に係る撮像装置等を説明する。本発明に係る撮像装置は、撮像素子と、その撮像素子の撮像面に対して視野の異なる複数の結像を行うアレイ光学系と、そのアレイ光学系で形成された視野の異なる複数の像をつなぎ合わせて１枚の合成画像を出力する画像処理部と、を有するものである。アレイ光学系は、撮像素子の撮像面（例えば、固体撮像素子の光電変換部）に対して結像を行う複数のレンズ系がアレイ状に配置された光学系であるが、本発明の撮像装置に搭載されるアレイ光学系では、視野の異なる複数の像をつなぎ合わせて１枚の合成画像を出力するために、視野の異なる複数の結像を行う視野分割タイプとなっている。つまり、アレイ光学系は、配列の中心に位置する少なくとも１つの中心光学系と、その中心光学系の周辺に位置する複数の周辺光学系と、からなっており、その複数の周辺光学系のうちの少なくとも１つが、中心光学系とは視野中心の異なる像を撮像面上に形成する構成になっている。
【００１２】
上記撮像面上に形成される像の「視野中心」は、例えば、図１８（Ａ）〜（Ｃ）に示すように、アレイ光学系を構成する個々の結像光学系ＬＮについて定義され、各結像光学系ＬＮで形成される像ＺＮのイメージサークル中心に相当する。また、被写体の（３次元的な）視野中心方向は画角の中心方向に相当するので、被写体の視野中心は矢印ＣＸ方向に位置する。
【００１３】
アレイ光学系は撮像装置の薄型化を達成するのに向いており、しかも視野分割タイプでは結像光学系ＬＮ１つ１つが小さい視野で撮像を行うので、撮像装置全体の小型化を達成する上で特に有効である。しかし、それぞれの結像光学系ＬＮがすべて同じ画角を有する場合、より周辺まで撮影しようとすると、全ての結像光学系ＬＮの画角を大きくしなければならなくなる。その結果、最周辺の画像に歪みが生じて画質が劣化してしまうことになる。
【００１４】
そこで、本発明に係る撮像装置では、アレイ光学系において、中心光学系の画角が複数の周辺光学系の画角よりも広くなる構成としている。中心光学系の画角が周辺光学系の画角よりも広く、かつ、周辺光学系の少なくとも１つが（例えば、中心光学系の視野範囲に対して外側を向くことにより）中心光学系とは視野中心の異なる像を形成するため、中心光学系によって得られる画像と、周辺光学系によって得られる画像と、が画像処理で結合されることにより、個々の光学系では得られない広い範囲の合成画像を取得することが可能となる。
【００１５】
また、周辺光学系の画角は比較的狭いので、画角が大きいことで生じ易い像面湾曲や歪曲収差といった光学性能の劣化が抑えられ、結果として、周辺の画像は全体にわたって良好な画質となる。よって、魚眼レンズで問題となっていた『周辺画像の歪みによる画像の劣化』を引き起こすことがない。具体的には、魚眼レンズは等距離射影方式（Ｙ’＝ｆ×ω）を満足するような設計となっているため、通常の中心射影方式（Ｙ’＝ｆ×ｔａｎω）の尺度で歪曲を評価した場合（Ｙ’：像高、ｆ：焦点距離、ω：半画角）、例えばω＝８０°では歪曲は−７５％程度となる。このような歪みを持つ画像に画像処理を行うと、圧縮して投影された周辺領域の画像を引きのばして表示することになるため、相対的な画質の劣化につながる。一方で、本発明に係る撮像装置においては、周辺領域を撮影する方式も中心射影方式であるため、発生する歪曲は±数％程度である。
【００１６】
上記特徴的構成によると、広角領域の撮影において周辺の画質の劣化の少ない画像を取得することができる。したがって、広い範囲を高画質で撮影することの可能な撮像装置を実現することができる。また、本発明に係る撮像装置を監視カメラ，防犯カメラ，車載カメラ，航空機カメラ等に用いることによって、これらのカメラに高性能の広角画像入力機能をコンパクトに付加することが可能となり、そのコンパクト化，高性能化，高機能化等に寄与することができる。こういった効果をバランス良く得るとともに、更なる高性能化，小型化等を達成するための条件等を以下に説明する。
【００１７】
以下の条件式（１）を満足することが望ましい。
ωｃ／ωａ≧１．１８  …（１）
ただし、
ωａ：周辺光学系の画角、
ωｃ：中心光学系の画角、
である。
【００１８】
ある画角２ωの円状の領域を撮影したいときに、前記中心光学系の画角ωｃと、前記周辺光学系の画角ωａとの間に、条件式（１）を満たす関係が成り立つ場合には、周辺の画像をより高い解像度で撮影できることになり、最終的に得られる画像の周辺領域の画質を向上させることができる。条件式（１）の範囲を下回ると、周辺光学系の画角を大きくすることになるか、又は中心光学系の画角を小さくすることになるが、前者の場合はより解像度の高い周辺の画像を得にくくなり、後者の場合は最終的に得られる画像に隙間が生じてしまう。つまり、この条件式（１）を満たすことで、特に各光学系が撮像素子の正方形の領域に結像させている場合には、より広い範囲を隙間なく撮影することができる。
【００１９】
周辺光学系が２次元的に配列されている場合、中心光学系によって撮影される範囲が、最終的に得られる合成画像（連続画像）のうちの１／６以上の領域を撮影していることが望ましい。この条件を外れると撮影領域間に隙間が生じてしまい、適正な画像合成が困難になるおそれがある。
【００２０】
周辺光学系が１次元的に配列されている場合、中心光学系によって撮影される範囲が、最終的に得られる合成画像（連続画像）のうちの１／３以上の領域を撮影していることが望ましい。この条件を外れると撮影領域間に隙間が生じてしまい、適正な画像合成が困難になるおそれがある。
【００２１】
前記中心光学系と前記周辺光学系とが同じ構成の撮像光学系を有し、前記中心光学系が最も物体側にワイドコンバーターを有し、前記周辺光学系が最も物体側にプリズムを有することが望ましい。つまり、アレイ光学系において、中心光学系は基本となる撮像光学系と最も物体側に設けられたワイドコンバーターとからなり、周辺光学系は基本となる撮像光学系と最も物体側に設けられたプリズムとからなることが望ましい。
【００２２】
上記構成では、周辺光学系の視野中心を変える方法にプリズム反射面を用いているため、偏心光学系等の特殊な光学系を用いる必要がなく、特に画角の増大に起因する歪曲収差や像面湾曲等の収差の発生を抑えることができる。また、基本となる撮像光学系が全ての光学系において共通であり、それぞれが単体の撮像光学系として成り立っているため、ワイドコンバーターの装着前に中心光学系（ただし、画角は周辺光学系と同じ）による画像を取得することができる。その場合、視野範囲がまだ狭い状態にあるため、撮像光学系が正しく固定されているか否かを比較的正確に判断することが可能となる。つまり、光学系の調整が行い易くなるというメリットがある。
【００２３】
さらに、個々の光学系毎の設計が最小限で済むため、コストの増加を抑制することができる。また、ワイドコンバーターによって中心光学系の全長が伸びるため、周辺光学系に配置するプリズムによる光線のケラレが発生しにくくなり、周辺光学系の画角をより広くとることができるようになる。光学性能の面では、ワイドコンバーターが加わることによって、中心光学系の色収差やペッツバール和に起因する像面湾曲が抑制され、十分な解像力を得ることができる。
【００２４】
また、プリズムを利用することで反射面のサイズを小さくすることができるため、撮像装置全体のサイズを小さくすることができる。つまり、プリズムを使用すると、空気との屈折率差により光束が絞られて反射面が小さくなるので、アレイ光学系の全長が短くなって撮像装置全体の小型化が可能となる。
【００２５】
前記中心光学系と前記周辺光学系とが同じ構成の撮像光学系を有し、前記中心光学系が最も物体側にワイドコンバーターを有し、前記周辺光学系が最も物体側にミラーを有することが望ましい。つまり、アレイ光学系において、中心光学系は基本となる撮像光学系と最も物体側に設けられたワイドコンバーターとからなり、周辺光学系は基本となる撮像光学系と最も物体側に設けられたミラーとからなることが望ましい。
【００２６】
上記構成では、周辺光学系の視野中心を変える方法にミラー反射面を用いているため、偏心光学系等の特殊な光学系を用いる必要がなく、特に画角の増大に起因する歪曲収差や像面湾曲等の収差の発生を抑えることができる。また、基本となる撮像光学系が全ての光学系において共通であり、それぞれが単体の撮像光学系として成り立っているため、ワイドコンバーターの装着前に中心光学系（ただし、画角は周辺光学系と同じ）による画像を取得することができる。その場合、視野範囲がまだ狭い状態にあるため、撮像光学系が正しく固定されているか否かを比較的正確に判断することが可能となる。つまり、光学系の調整が行い易くなるというメリットがある。
【００２７】
さらに、個々の光学系毎の設計が最小限で済むため、コストの増加を抑制することができる。また、ワイドコンバーターによって中心光学系の全長が伸びるため、周辺光学系に配置するミラーによる光線のケラレが発生しにくくなり、周辺光学系の画角をより広くとることができるようになる。光学性能の面では、ワイドコンバーターが加わることによって、中心光学系の色収差やペッツバール和に起因する像面湾曲が抑制され、十分な解像力を得ることができる。
【００２８】
次に、上述した撮像装置の具体的な光学構成等を、図面を参照しつつ更に詳しく説明する。なお、実施の形態等の相互で同一の部分や相当する部分には同一の符号を付して重複説明を適宜省略する。
【００２９】
図１に撮像装置ＤＵの第１の実施の形態（ＥＸ１）を示し、図２に撮像装置ＤＵの第１の実施の形態の要部外観を示し、図３に第１の実施の形態を構成するアレイ光学系ＬＡを光学断面で示す。図２（Ａ）は撮像ユニットＬＵの斜視図、図２（Ｂ）はアレイ光学系ＬＡの上面図であり、図３は図２（Ｂ）のＡ−Ａ’線断面図である。
【００３０】
図１に示すように、撮像装置ＤＵは、撮像ユニットＬＵ，画像処理部１，画像表示部２等を有している。そして、撮像ユニットＬＵは、１つの撮像素子ＳＲと、その撮像素子ＳＲの撮像面ＳＳに対して視野の異なる複数の結像を行うアレイ光学系ＬＡと、を有している。アレイ光学系ＬＡで形成された視野の異なる複数の像は、画像処理部１によってつなぎ合わされて１枚の合成画像として出力され、その合成画像は画像表示部２によって表示される。
【００３１】
第１の実施の形態（ＥＸ１）では、１つの撮像素子ＳＲを３×３の９個の光学系Ｌｎ（ｎ＝０，１，２，３，…，８）が共有する構成になっている。そして、アレイ光学系ＬＡは、図１〜図３から分かるように、配列の中心に位置する１つの中心光学系Ｌ０と、その中心光学系Ｌ０の周辺に位置する８つの周辺光学系Ｌｎ（ｎ＝１，２，３，…，８）と、からなっている（ＡＸ：中心光学系Ｌ０の光軸である。）。中心光学系Ｌ０は、像Ｚ０を撮像素子ＳＲの撮像面ＳＳ上に形成する撮像レンズ系Ｂ０からなっている。周辺光学系Ｌｎ（ｎ＝１，２，３，…，８）は、像Ｚｎ（ｎ＝１，２，３，…，８）を撮像素子ＳＲの撮像面ＳＳ上に形成する撮像レンズ系Ｂｎ（ｎ＝１，２，３，…，８）と、プリズムＰｎ（ｎ＝１，２，３，…，８）と、からなっている（図１中ではプリズムＰｎは図示省略している。）。ただし、中心光学系Ｌ０の画角は周辺光学系Ｌｎ（ｎ＝１，２，３，…，８）の画角よりも広くなっている。例えば、後述する各種データで示す光学構成例のように、中心光学系Ｌ０として半画角４１．９°の光学系が用いられ、周辺光学系Ｌｎ（ｎ＝１，２，３，…，８）として半画角２５．０°の同一構成の光学系が用いられる。
【００３２】
周辺光学系Ｌｎ（ｎ＝１，２，３，…，８）は、中心光学系Ｌ０で形成される像Ｚ０とは視野中心の異なる像Ｚｎ（ｎ＝１，２，３，…，８）を撮像面ＳＳ上に形成する。このように中心光学系Ｌ０の光軸ＡＸと視野中心を異ならせるために、周辺光学系Ｌｎ（ｎ＝１，２，３，…，８）には、４５°プリズムＰｎ（ｎ＝１，２，３，…，８）が撮像レンズ系Ｂｎ（ｎ＝１，２，３，…，８）の物体側にそれぞれ配置されている。例えば、プリズムＰｎ（ｎ＝１，２，３，…，８）は、中心光学系Ｌ０の光軸ＡＸとプリズム反射面との成す最も鋭利な角度が２８．５°となるように配置される。つまり、周辺光学系Ｌｎ（ｎ＝１，２，３，…，８）は、中心光学系Ｌ０の光軸ＡＸに対して視野中心が５７．０°傾いて配置される。
【００３３】
図２に示すように、８つのプリズムＰｎ（ｎ＝１，２，３，…，８）は、それぞれが光軸ＡＸ周りに４５°ずつ回転した位置に配置されており、また、プリズム反射面に施されているミラーコートにより、全反射しない光線も反射できるような構成となっている。視野中心を変更する方法として、プリズムＰｎ（ｎ＝１，２，３，…，８）を周辺光学系Ｌｎ（ｎ＝１，２，３，…，８）に用いているが、プリズムＰｎの斜面を反射面として用いており、かつ、プリズムＰｎを周辺光学系Ｌｎにおける最も物体側に配置しているため、無限遠又はほぼ無限遠と近似できる物体の撮影においては、プリズムＰｎによる収差は発生しない。
【００３４】
撮像素子ＳＲとしては、例えば複数の画素を有するＣＣＤ型イメージセンサー，ＣＭＯＳ型イメージセンサー等の固体撮像素子が用いられる。撮像素子ＳＲの光電変換部である受光面ＳＳ上には、被写体の光学像が形成されるようにアレイ光学系ＬＡが設けられているので、アレイ光学系ＬＡによって形成された光学像は、撮像素子ＳＲによって電気的な信号に変換される。なお、撮像面ＳＳとアレイ光学系ＬＡとの間には、図３に示すように、撮像素子ＳＲのカバーガラスＣＧが位置している。
【００３５】
画像処理部１は、図１に示すように、ＡＤコンバーター１ａ，ＤＳＰ(Digital Signal Processor)１ｂ，画像処理・画像再生用プロセッサー１ｃ等で構成されている。撮像素子ＳＲにより電気信号に変換された画像情報は、ＡＤコンバーター１ａを通して、ＤＳＰ１ｂにデジタル信号として取り込まれる。ＤＳＰ１ｂから出力されたデジタル信号は、プロセッサー１ｃでの画像処理工程や合成画像生成工程を経た後、画像表示部２に送られて、合成画像の表示が行われる。
【００３６】
図２に示す９つの光学系Ｌｎ（ｎ＝０，１，２，３，…，８）で得られる像Ｚｎ（ｎ＝０，１，２，３，…，８）の画像を合成することにより、半画角６５．０°に及ぶ円状の画像を取得することができる。その際、中心光学系Ｌ０の画角は周辺光学系Ｌｎ（ｎ＝１，２，３，…，８）の画角よりも広くなっているため、光学系単体で得られる画像よりも周辺画質の劣化が少なく、かつ、広角の画像を取得することができる。また、中心光学系Ｌ０と周辺光学系Ｌｎ（ｎ＝１，２，３，…，８）とで撮像領域の一部重複が生じるが、これは画像を結合する際の参照領域として必要な部分であり、また、撮影領域全域にわたって隙間が生じないようにするための構成でもある。
【００３７】
以下に、第１の実施の形態（ＥＸ１）の光学構成例を各種データで示す。周辺光学系Ｌｎ（ｎ＝１，２，３，…，８）におけるプリズムＰｎ（ｎ＝１，２，３，…，８）のサイズは、光の入出射面の大きさで記載しており、光学系全体のサイズは光軸ＡＸを法線とする面内での大きさで記載している。また、精細度は周辺画質を示すデータであり、最も外側の画像を形成するための画素が、どのくらいの大きさの物体面の情報を取得しているかを示している。したがって、値が小さいほど精細な画像の取得が可能である。比較のため同じ最大半画角の魚眼レンズの精細度をあわせて示す。
【００３８】
例えば、魚眼レンズの場合（完全なＹ＝Ｆθのレンズ）、物体距離（レンズから物体面までの距離）：１０００ｍｍ、焦点距離：７．４０４４ｍｍ、Ｙｍａｘ（魚眼レンズの最大像高）：８．４ｍｍ、画素サイズ：２μｍ、最大半画角：６５°とすると、像高側が１画素サイズ分変化した際に、物体側では画角が０．０１５５°変化する。物高での変化量は、６５°で２１４４．５０７ｍｍ、６４．９８４５°で２１４２．９９５ｍｍである。つまり、最周辺では１画素が１．５１１４ｍｍの範囲の情報を拾っていることになる。
【００３９】
アレイ光学系（ＥＸ１）の場合（完全なＹ＝Ｆｔａｎθのレンズ）、物体距離：１０００ｍｍ、焦点距離：８．４９１８ｍｍ、Ｙｍａｘ：３．９５９８ｍｍ、画素サイズ：２μｍ、周辺光学系の最大半画角：２５°とすると、周辺光学系の視野中心傾きα（水平線からの）３３°、プリズムの傾き：１６．５°、最大半画角：６５°の位置を周辺光学系で換算すると、周辺光学系の光軸からの傾きω’は８°であり、このときの像高は１．１９３４ｍｍ、１画素分内側を考えると１．１９１４ｍｍ、この像高の位置に結像する光線の周辺光学系における画角は７．９８６８°、光軸から６４．９８６８°の角度における物体位置は２１４３．２１４ｍｍである。つまり、この場合は１画素で１．２９２５ｍｍの範囲の情報を拾っていることになる。
【００４０】
第１の実施の形態（ＥＸ１）
［中心光学系］
Ｆｎｏ            ６
半画角            ４１．９  °
像高              ３．９６  ｍｍ
焦点距離          ４．４    ｍｍ
ＢＦ              ３．５７  ｍｍ
光学系全長        ５．７５  ｍｍ
レンズ枚数        ３        枚
【００４１】
第１の実施の形態（ＥＸ１）
［周辺光学系］
Ｆｎｏ            ６
半画角            ２５      °
像高              ３．９６  ｍｍ
焦点距離          ８．５    ｍｍ
ＢＦ              ６．６８  ｍｍ
光学系全長        ９．６    ｍｍ
レンズ枚数        ３        枚
プリズム
ｎｄ            １．７８４７２
ｖｄ            ２５．７２
サイズ          □５．５  ｍｍ（ただし、入出射面）
【００４２】
第１の実施の形態（ＥＸ１）
［光学系全体］
撮影可能半画角    ６５      °
光学系厚み        １５．７  ｍｍ
光学系全体サイズ  □１６．８ｍｍ（ただし、光軸直交面内）
ωｃ／ωａ        １．６８
中心光学系による撮影割合
０．４４
［精細度］
魚眼レンズ        １．５１  ｍｍ
ＥＸ１            １．２９  ｍｍ
【００４３】
図４に撮像装置ＤＵの第２の実施の形態（ＥＸ２）の要部外観を示し、図５に第２の実施の形態を構成するアレイ光学系ＬＡを光学断面で示す。図４はアレイ光学系ＬＡの上面図であり、図５は図４のＡ−Ａ’線断面図である。
【００４４】
第２の実施の形態（ＥＸ２）の特徴は、周辺光学系Ｌｎ（ｎ＝１，２，３，…，８）が最も物体側にミラーＭｎ（ｎ＝１，２，３，…，８）を有する点にある。つまり、周辺光学系Ｌｎ（ｎ＝１，２，３，…，８）の視野中心を、中心光学系Ｌ０の視野中心である光軸ＡＸと異ならせるために、前記第１の実施の形態で用いているプリズムＰｎ（ｎ＝１，２，３，…，８）の代わりに、ミラーＭｎ（ｎ＝１，２，３，…，８）を用いている。
【００４５】
前記第１の実施の形態と同様、中心光学系Ｌ０の画角は周辺光学系Ｌｎ（ｎ＝１，２，３，…，８）の画角よりも広くなっている。例えば、後述する各種データで示す光学構成例のように、中心光学系Ｌ０として半画角７０．０°の光学系が用いられ、周辺光学系Ｌｎ（ｎ＝１，２，３，…，８）として半画角２５．０°の光学系が用いられる。
【００４６】
図４に示す９つの光学系Ｌｎ（ｎ＝０，１，２，３，…，８）で得られる像Ｚｎ（ｎ＝０，１，２，３，…，８）の画像を合成することにより、半画角８５．０°に及ぶ円状の画像を取得することができる。その際、中心光学系Ｌ０の画角は周辺光学系Ｌｎ（ｎ＝１，２，３，…，８）の画角よりも広くなっているため、光学系単体で得られる画像よりも周辺画質の劣化が少なく、かつ、広角の画像を取得することができる。
【００４７】
ミラーＭｎ（ｎ＝１，２，３，…，８）は、中心光学系Ｌ０の光軸ＡＸに対して最も鋭利な角度が４０°となる傾きを有するように配置されている。また、８つのミラーＭｎ（ｎ＝１，２，３，…，８）は、それぞれが光軸ＡＸ周りに４５°ずつ回転した位置に配置されている。ここで、ミラーＭｎ（ｎ＝１，２，３，…，８）は物体からの光を反射するものであればよく、アルミ蒸着のミラーでもよいし、例えば近赤外線カメラに用いる場合には、赤外光をより集光するために赤外光の反射率が高いもの（金ミラー等）を用いてもよい。また、周辺光学系Ｌｎ（ｎ＝１，２，３，…，８）に用いられるミラーＭｎ（ｎ＝１，２，３，…，８）が全て一体となっていてもよい。
【００４８】
以下に、第２の実施の形態（ＥＸ２）の光学構成例を各種データで示す。なお、記載形式は前記第１の実施の形態と同様である。
【００４９】
第２の実施の形態（ＥＸ２）
［中心光学系］
Ｆｎｏ            ６
半画角            ７０      °
像高              ２．６３  ｍｍ
焦点距離          ２．３    ｍｍ
ＢＦ              ４．７６  ｍｍ
光学系全長        １５      ｍｍ
レンズ枚数        ９        枚
【００５０】
第２の実施の形態（ＥＸ２）
［周辺光学系］
Ｆｎｏ            ６
半画角            ２５      °
像高              ３．９６  ｍｍ
焦点距離          ８．５    ｍｍ
ＢＦ              ６．６８  ｍｍ
光学系全長        １５．２  ｍｍ
レンズ枚数        ３        枚
【００５１】
第２の実施の形態（ＥＸ２）
［光学系全体］
撮影可能半画角    ８５      °
光学系厚み        １５．２  ｍｍ
光学系全体サイズ  □１６．８ｍｍ（ただし、光軸直交面内）
ωｃ／ωａ        ２．８
中心光学系による撮影割合
０．７２
［精細度］
魚眼レンズ        １．５１  ｍｍ
ＥＸ２            １．２９  ｍｍ
【００５２】
図６に撮像装置ＤＵの第３の実施の形態（ＥＸ３）の要部外観を示し、図７に第３の実施の形態を構成するアレイ光学系ＬＡを光学断面で示す。図６はアレイ光学系ＬＡの上面図であり、図７は図６のＡ−Ａ’線断面図である。
【００５３】
第３の実施の形態（ＥＸ３）の特徴は、中心光学系Ｌ０と周辺光学系Ｌｎ（ｎ＝１，２，３，…，８）とが同じ構成の撮像レンズ系Ｂｎ（ｎ＝０，１，２，３，…，８）を有し、中心光学系Ｌ０が最も物体側にワイドコンバーターＣ０を有し、周辺光学系Ｌｎ（ｎ＝１，２，３，…，８）が最も物体側にプリズムＰｎ（ｎ＝１，２，３，…，８）を有する点にある。つまり、図７中の撮像レンズ系Ｂ０，Ｂ１，Ｂ８が同一構成になっていることから分かるように、中心光学系Ｌ０が、周辺光学系Ｌｎ（ｎ＝１，２，３，…，８）からプリズムＰｎ（ｎ＝１，２，３，…，８）を除いた構成にワイドコンバーターＣ０を加えた構成からなる点に、第３の実施の形態（ＥＸ３）の特徴がある。
【００５４】
上記のようにワイドコンバーターＣ０で中心光学系Ｌ０を広角にする構成を採用すると、ワイドコンバーターＣ０が無い撮像レンズ系Ｂｎ（ｎ＝０，１，２，３，…，８）単体でも撮像可能となるため、前述したように光学系の調整が行い易くなるというメリットがある。また、ワイドコンバーターＣ０の鏡胴とプリズムＰｎ（ｎ＝１，２，３，…，８）を設置する台とを一体部品とした場合には、組立が行い易くなるというメリットもある。前記一体部品を取り外した状態でも多眼光学系として機能するため、手での一体部品の着脱のほかに、蝶番やスライドレール等の各種移動機構とモーター等の電気的な駆動機構を用いることによって、半自動で二種類の機能を切り替えることも可能である。それ以外の構成については前記第１の実施の形態と同様である。
【００５５】
以下に、第３の実施の形態（ＥＸ３）の光学構成例を各種データで示す。なお、記載形式は前記第１の実施の形態と同様である。
【００５６】
第３の実施の形態（ＥＸ３）
［中心光学系］
Ｆｎｏ            ６
半画角            ４１．９  °
像高              ３．９６  ｍｍ
焦点距離          ４．４    ｍｍ
ＢＦ              ４．７    ｍｍ
光学系全長        １６      ｍｍ
レンズ枚数        ５        枚
アフォーカル倍率  ０．７９
【００５７】
第３の実施の形態（ＥＸ３）
［周辺光学系］
Ｆｎｏ            ６
半画角            ３５．５  °
像高              ３．９６  ｍｍ
焦点距離          ５．６    ｍｍ
ＢＦ              ４．７    ｍｍ
光学系全長        １７．５  ｍｍ
レンズ枚数        ３        枚
プリズム
ｎｄ            １．７８４７２
ｖｄ            ２５．７２
サイズ          □１１    ｍｍ（ただし、入出射面）
【００５８】
第３の実施の形態（ＥＸ３）
［光学系全体］
撮影可能半画角    ７５      °
光学系厚み        １７．５  ｍｍ
光学系全体サイズ  □４０    ｍｍ（ただし、光軸直交面内）
ωｃ／ωａ        １．１８
中心光学系による撮影割合
０．３４
［精細度］
魚眼レンズ        ４．６５  ｍｍ
ＥＸ３            ４．６２  ｍｍ
【００５９】
図８に撮像装置ＤＵの第４の実施の形態（ＥＸ４）の要部外観を示し、図９に第４の実施の形態を構成するアレイ光学系ＬＡを光学断面で示す。図８はアレイ光学系ＬＡの上面図であり、図９は図８のＡ−Ａ’線断面図である。
【００６０】
第４の実施の形態（ＥＸ４）の特徴は、中心光学系Ｌ０と周辺光学系Ｌｎ（ｎ＝１，２，３，…，８）とが同じ構成の撮像レンズ系Ｂｎ（ｎ＝０，１，２，３，…，８）を有し、中心光学系Ｌ０が最も物体側にワイドコンバーターＣ０を有し、周辺光学系Ｌｎ（ｎ＝１，２，３，…，８）が最も物体側にミラーＭｎ（ｎ＝１，２，３，…，８）を有する点にある。つまり、図９中の撮像レンズ系Ｂ０，Ｂ４，Ｂ５が同一構成になっていることから分かるように、中心光学系Ｌ０が、周辺光学系Ｌｎ（ｎ＝１，２，３，…，８）からミラーＭｎ（ｎ＝１，２，３，…，８）を除いた構成にワイドコンバーターＣ０を加えた構成からなる点に、第４の実施の形態（ＥＸ４）の特徴がある。
【００６１】
第４の実施の形態（ＥＸ４）における前記第３の実施の形態との違いに注目すると、その違いは、周辺光学系Ｌｎ（ｎ＝１，２，３，…，８）が最も物体側にミラーＭｎ（ｎ＝１，２，３，…，８）を有する点にある。つまり、第４の実施の形態（ＥＸ４）では、周辺光学系Ｌｎ（ｎ＝１，２，３，…，８）の視野中心を、中心光学系Ｌ０の視野中心である光軸ＡＸと異ならせるために、前記第３の実施の形態で用いているプリズムＰｎ（ｎ＝１，２，３，…，８）の代わりに、ミラーＭｎ（ｎ＝１，２，３，…，８）を用いている。
【００６２】
上記のようにワイドコンバーターＣ０で中心光学系Ｌ０を広角にする構成を採用すると、ワイドコンバーターＣ０が無い撮像レンズ系Ｂｎ（ｎ＝０，１，２，３，…，８）単体でも撮像可能となるため、前述したように光学系の調整が行い易くなるというメリットがある。また、周辺光学系Ｌｎ（ｎ＝１，２，３，…，８）に必要なミラーＭｎ（ｎ＝１，２，３，…，８）と、中心光学系Ｌ０に必要なワイドコンバーターＣ０の鏡胴と、を一体部品にした場合は、ミラーＭｎ（ｎ＝１，２，３，…，８）とワイドコンバーターＣ０の取り付けが更に行い易くなるというメリットもある。前記一体部品を取り付けない状態でも多眼光学系として利用できるというメリットもあり、また、一体部品とすることで手動と半自動で機能の切り替えを可能とする構成については、前記第３の実施の形態と同様である。
【００６３】
以下に、第４の実施の形態（ＥＸ４）の光学構成例を各種データで示す。なお、記載形式は前記第１の実施の形態と同様である。
【００６４】
第４の実施の形態（ＥＸ４）
［中心光学系］
Ｆｎｏ            ６
半画角            ７０      °
像高              ２．６３  ｍｍ
焦点距離          ２．３    ｍｍ
ＢＦ              ６．６８  ｍｍ
光学系全長        ２０      ｍｍ
レンズ枚数        ７        枚
アフォーカル倍率  ０．２７
【００６５】
第４の実施の形態（ＥＸ４）
［周辺光学系］
Ｆｎｏ            ６
半画角            ２５  °
像高              ３．９６  ｍｍ
焦点距離          ８．５    ｍｍ
ＢＦ              ６．６８  ｍｍ
光学系全長        １５．２  ｍｍ
レンズ枚数        ３        枚
【００６６】
第４の実施の形態（ＥＸ４）
［光学系全体］
撮影可能半画角    ８５      °
光学系厚み        ２０      ｍｍ
光学系全体サイズ  □１６．８ｍｍ（ただし、光軸直交面内）
ωｃ／ωａ        ２．８
中心光学系による撮影割合
０．７２
［精細度］
魚眼レンズ        ４６．３  ｍｍ
ＥＸ４            ２１．６  ｍｍ
【００６７】
図１０に撮像装置ＤＵの第５の実施の形態（ＥＸ５）の要部外観を示し、図１１に第５の実施の形態を構成するアレイ光学系ＬＡを光学断面で示す。図１０はアレイ光学系ＬＡの上面図であり、図１１は図１０のＡ−Ａ’線断面図である。
【００６８】
第５の実施の形態（ＥＸ５）の特徴は、中心光学系Ｌ０及び周辺光学系Ｌｎ（ｎ＝１，２）が１次元的に配列されている点にある。つまり、中心光学系Ｌ０と周辺光学系Ｌｎ（ｎ＝１，２）とが直線上に配置された同じ構成の撮像レンズ系Ｂｎ（ｎ＝０，１，２）を有し、中心光学系Ｌ０が最も物体側にワイドコンバーターＣ０を有し、周辺光学系Ｌｎ（ｎ＝１，２）が最も物体側にプリズムＰｎ（ｎ＝１，２）を有する点に、第５の実施の形態（ＥＸ５）の特徴がある。
【００６９】
周辺光学系Ｌｎ（ｎ＝１，２）は中心光学系Ｌ０の両側に配置されており、３つの光学系Ｌｎ（ｎ＝０，１，２）が１つの撮像素子ＳＲを共有するように直線状に配置されている。周辺光学系Ｌｎ（ｎ＝１，２）の視野中心はプリズムＰｎ（ｎ＝１，２）によって傾けられており、より具体的には、中心光学系Ｌ０の光軸ＡＸとプリズム反射面との成す最も鋭利な角度は２８°であり、周辺光学系Ｌｎ（ｎ＝１，２）のプリズムＰｎ（ｎ＝１，２）は互いに光軸ＡＸ周りに１８０°回転した構成となっている。
【００７０】
この第５の実施の形態の構成では、一方向のみに広い画角で画像を取得することができるので、一方向のみに広く撮像したい場合、例えば車載用の光学系として利用する場合に有効である。通常の光学系であれば、広い画角に合わせた光学設計になるため、最周辺でも良好な光学性能を得るためにはレンズ枚数が多くなり易い。また、それぞれのレンズの口径も大きくなる必要があり、全体として装置の大型化が避けられなかったが、本構成では最周辺の性能は周辺光学系によって確保されているため、装置の大型化をせずに良好な画像を得ることができる。
【００７１】
以下に、第５の実施の形態（ＥＸ５）の光学構成例を各種データで示す。なお、記載形式は前記第１の実施の形態と同様である。
【００７２】
第５の実施の形態（ＥＸ５）
［中心光学系］
Ｆｎｏ            ６
半画角            ４１．９  °
像高              ３．９６  ｍｍ
焦点距離          ４．２    ｍｍ
ＢＦ              ４．７    ｍｍ
光学系全長        １６      ｍｍ
レンズ枚数        ５        枚
アフォーカル倍率  ０．８１
【００７３】
第５の実施の形態（ＥＸ５）
［周辺光学系］
Ｆｎｏ            ６
半画角            ３５．５  °
像高              ３．９６  ｍｍ
焦点距離          ５．２    ｍｍ
ＢＦ              ４．７    ｍｍ
光学系全長        １３．７  ｍｍ
レンズ枚数        ３        枚
プリズム
ｎｄ            １．７８４７２
ｖｄ            ２５．７２
サイズ          □６．５  ｍｍ（ただし、入出射面）
【００７４】
第５の実施の形態（ＥＸ５）
［光学系全体］
撮影可能半画角（水平方向×垂直方向）
８１．０°×２８．６°
光学系厚み        １６      ｍｍ
光学系全体サイズ  １６．８×６．５ｍｍ（ただし、光軸直交面内）
ωｃ／ωａ        １．１８
中心光学系による撮影割合
０．４
［精細度］
魚眼レンズ        １３．７  ｍｍ
ＥＸ５            １１．５  ｍｍ
【００７５】
図１２に第６の実施の形態（ＥＸ６）を構成する撮像レンズ系Ｂｎ（ｎ＝０，１，２，３，…，１２）を示し、図１３に第６の実施の形態を構成するアレイ光学系ＬＡを示す。図１２は４×４の１６個の撮像レンズ系Ｂｎを示す斜視図であり、図１３は撮像レンズ系Ｂｎ（ｎ＝１，２，３，…，１２）の物体側にプリズムＰｎ（ｎ＝１，２，３，…，１２）が配置されて周辺光学系Ｌｎ（ｎ＝１，２，３，…，１２）が構成された状態のアレイ光学系ＬＡを示す斜視図である。
【００７６】
第６の実施の形態（ＥＸ６）では、１つの撮像素子ＳＲを４×４の１６個の光学系Ｌｎ（ｎ＝０，１，２，３，…，１２）が共有する構成になっている。そして、アレイ光学系ＬＡは、図１３から分かるように、配列の中心に位置する２×２の４個の中心光学系Ｌ０と、その中心光学系Ｌ０の周囲に位置する１２個の周辺光学系Ｌｎ（ｎ＝１，２，３，…，１２）と、からなっている。周辺光学系Ｌｎ（ｎ＝１，２，３，…，１２）に配置されるプリズムＰｎ（ｎ＝１，２，３，…，１２）は、中心光学系Ｌ０の光軸周りに３０°ずつ回転した位置に配置されている。
【００７７】
この第６の実施の形態は、前述した第１〜第５の実施の形態に比べて、周辺光学系Ｌｎ（ｎ＝１，２，３，…，１２）の個数が多いため、それぞれの光学系に必要な画角は狭くてもよい。したがって、周辺の画像をより一層鮮明に撮影することができる。さらに、４個の中心光学系Ｌ０で視差を持った画像を取得することができるため、画像処理部１（図１）内に三角測量による距離測定アルゴリズムを組み込むことによって、中心光学系Ｌ０が捉える範囲内については撮影対象までの距離測定が可能になる、というメリットもある。また、画像処理部１（図１）内に、複数フレームの撮影による超解像処理のアルゴリズムを組み込むことによって、中心光学系Ｌ０が捉える範囲内については超解像画像によるより鮮明な画像を取得することができる。
【００７８】
図１４に第７の実施の形態（ＥＸ７）を構成する撮像レンズ系Ｂｎ（ｎ＝０，１，２，３，…，２４）を示し、図１５に第７の実施の形態を構成するアレイ光学系ＬＡを示す。図１４は５×５の２５個の撮像レンズ系Ｂｎを示す斜視図であり、図１５は撮像レンズ系Ｂｎ（ｎ＝１，３，５，１１，１４，２０，２２，２４）の物体側にプリズムＰｎ（ｎ＝１，３，５，１１，１４，２０，２２，２４）が配置されて周辺光学系Ｌｎ（ｎ＝１，３，５，１１，１４，２０，２２，２４）が構成された状態のアレイ光学系ＬＡを示す斜視図である。
【００７９】
第７の実施の形態（ＥＸ７）では、１つの撮像素子ＳＲを５×５の２５個の光学系Ｌｎ（ｎ＝０，１，２，３，…，２４）が共有する構成になっている。そして、アレイ光学系ＬＡは、図１５から分かるように、配列の中心（３行目と３列目との交点）に位置する１個の中心光学系Ｌ０と、その中心光学系Ｌ０の周辺に位置する８個の周辺光学系Ｌｎ（ｎ＝１，３，５，１１，１４，２０，２２，２４）と、からなっている。周辺光学系Ｌｎ（ｎ＝１，３，５，１１，１４，２０，２２，２４）に配置されるプリズムＰｎ（ｎ＝１，３，５，１１，１４，２０，２２，２４）は、中心光学系Ｌ０の光軸周りに４５°ずつ回転した位置に配置されている。
【００８０】
撮像レンズ系Ｂｎ（ｎ＝０，１，３，５，１１，１４，２０，２２，２４）と同様に、撮像レンズ系Ｂｎ（ｎ＝２，４，６〜１０，１２，１３，１５〜１９，２１，２３）にも、視野中心を変更するためのプリズムやミラー等の光学素子を用いて、周辺光学系Ｌｎ（ｎ＝１，３，５，１１，１４，２０，２２，２４）と同様の機能を有する周辺光学系Ｌｎ（ｎ＝２，４，６〜１０，１２，１３，１５〜１９，２１，２３）を構成してもよい。しかし、全ての撮像レンズ系Ｂｎ（ｎ＝１，２，３，…，２４）に視野中心を変更するためのプリズムやミラー等の光学素子を用いる必要はない。広範囲を撮影すると同時に、光軸が中心光学系Ｌ０と平行な複数の光学系を利用した多眼光学系として機能させることも可能である。例えば、視差画像の取得（例えば測距用）や各種フィルター越しの撮影（例えば、カラーフィルター，偏光フィルターで情報を絞って取得する。）に利用可能である。
【００８１】
また、本実施の形態のように、撮像レンズ系Ｂｎを２次元的に１０以上配列した場合には、視野中心を傾かせる周辺光学系として、中心光学系Ｌ０から最も離れた位置から優先的に選択した方がよい。そのような選択を行うことで、視野中心を傾かせるための光学素子（プリズムやミラー）による光線のケラレを未然に防ぐことができる。
【００８２】
図１６に撮像装置ＤＵの第８の実施の形態（ＥＸ８）の要部外観を示し、図１７に第８の実施の形態を構成するアレイ光学系ＬＡを光学断面で示す。図１６はアレイ光学系ＬＡの上面図であり、図１７は図１６のＡ−Ａ’線断面図である。
【００８３】
第８の実施の形態（ＥＸ８）の特徴は、周辺光学系Ｌｎ（ｎ＝１，２）を構成している撮像レンズ系Ｂｎ（ｎ＝１，２）として、偏心光学系が用いられている点にある。前記第５の実施の形態（ＥＸ５）と同様、中心光学系Ｌ０及び周辺光学系Ｌｎ（ｎ＝１，２）は１次元的に配列されており、周辺光学系Ｌｎ（ｎ＝１，２）は中心光学系Ｌ０の両側に配置されて、直線状に配列した３つの光学系Ｌｎ（ｎ＝０，１，２）が１つの撮像素子ＳＲを共有する構成になっている。しかし、第８の実施の形態（ＥＸ８）では、周辺光学系Ｌｎ（ｎ＝１，２）の視野中心を、中心光学系Ｌ０の視野中心である光軸ＡＸと異ならせるために、撮像レンズ系Ｂｎ（ｎ＝１，２）として偏心光学系を採用している。
【００８４】
周辺光学系Ｌｎ（ｎ＝１，２）の視野中心は、撮像レンズ系Ｂｎ（ｎ＝１，２）の偏心によって傾けられるため、視野中心を変更するための光学素子としてプリズムやミラー等を別途設置する必要がない。したがって、本実施の形態のメリットとしては、設置の際の光学調整を行わずに広角な画像を取得できる点、撮像の際のケラレが発生しにくい点、光量の損失がない点等が挙げられる。
【００８５】
以下に、第８の実施の形態（ＥＸ８）の光学構成例を各種データで示す。なお、記載形式は前記第１の実施の形態と同様である。
【００８６】
第８の実施の形態（ＥＸ８）
［中心光学系］
Ｆｎｏ            ９．５
半画角            １５．５  °
像高              ３．９６  ｍｍ
焦点距離          １４．１  ｍｍ
ＢＦ              ９．６    ｍｍ
光学系全長        １５      ｍｍ
レンズ枚数        ３        枚
【００８７】
第８の実施の形態（ＥＸ８）
［周辺光学系］
Ｆｎｏ            ９．５
半画角            １０．３  °
像高              ３．９６  ｍｍ
焦点距離          １４．４  ｍｍ
ＢＦ              １２．３  ｍｍ
光学系全長        １５      ｍｍ
レンズ枚数        ３        枚
【００８８】
第８の実施の形態（ＥＸ８）
［光学系全体］
撮影可能半画角（水平方向×垂直方向）
２８．７°×９．３°
光学系厚み        １５      ｍｍ
光学系全体サイズ  ２５．０×５．６ｍｍ（ただし、光軸直交面内）
ωｃ／ωａ        １．５
中心光学系による撮影割合
０．３８
［精細度］
魚眼レンズ        ０．１６  ｍｍ
ＥＸ８            ０．１３  ｍｍ
【符号の説明】
【００８９】
ＤＵ    撮像装置
ＬＵ    撮像ユニット
ＬＡ    アレイ光学系
Ｌ０    中心光学系
Ｌｎ（ｎ＝１，２，３…）    周辺光学系
Ｂｎ（ｎ＝０，１，２，３…）    撮像レンズ系（撮像光学系）
Ｃ０    ワイドコンバーター
Ｐｎ（ｎ＝１，２，３…）    プリズム
Ｍｎ（ｎ＝１，２，３…）    ミラー
Ｚｎ（ｎ＝０，１，２，３…）    像
ＬＮ    結像光学系
ＺＮ    像
ＳＲ    撮像素子
ＳＳ    受光面（撮像面）
ＣＧ    カバーガラス
ＡＸ    中心光学系の光軸
１    画像処理部
１ａ    ＡＤコンバーター
１ｂ    ＤＳＰ
１ｃ    画像処理・画像再生用プロセッサー
２    画像表示部
【図１】
2015106773.tif 000003
【図２】
2015106773.tif 000004
【図３】
2015106773.tif 000005
【図４】
2015106773.tif 000006
【図５】
2015106773.tif 000007
【図６】
2015106773.tif 000008
【図７】
2015106773.tif 000009
【図８】
2015106773.tif 000010
【図９】
2015106773.tif 000011
【図１０】
2015106773.tif 000012
【図１１】
2015106773.tif 000013
【図１２】
2015106773.tif 000014
【図１３】
2015106773.tif 000015
【図１４】
2015106773.tif 000016
【図１５】
2015106773.tif 000017
【図１６】
2015106773.tif 000018
【図１７】
2015106773.tif 000019
【図１８】
2015106773.tif 000020